(57)【要約】【課題】利用者が施設を利用するための予約操作の手間を簡略化することが可能な予約管理システム、予約管理方法、及び予約管理プログラムを提供すること。【解決手段】予約管理システムは、利用者から施設の予約に関する予約要求を受け付ける受付処理部と、前記受付処理部により受け付けられる前記予約要求に基づいて、前記施設の仮予約を設定する仮予約処理部と、前記利用者が前記施設に関連付けられた交通機関を利用したか否かを判定する判定処理部と、前記判定処理部により前記利用者が前記施設に関連付けられた前記交通機関を利用したと判定された場合に、前記仮予約処理部により設定される前記仮予約に対応する予約を確定させることが可能な予約確定処理部と、を備える。【選択図】図１
2020095385.tif 000002
【特許請求の範囲】
【請求項１】
利用者から施設の予約に関する予約要求を受け付ける受付処理部と、
前記受付処理部により受け付けられる前記予約要求に基づいて、前記施設の仮予約を設定する仮予約処理部と、
前記利用者が前記施設に関連付けられた交通機関を利用したか否かを判定する判定処理部と、
前記判定処理部により前記利用者が前記施設に関連付けられた前記交通機関を利用したと判定された場合に、前記仮予約処理部により設定される前記仮予約に対応する予約を確定させることが可能な予約確定処理部と、
を備える予約管理システム。
【請求項２】
前記判定処理部により前記利用者が前記施設に関連付けられた前記交通機関を利用したと判定された場合に、前記施設の利用料金の決済処理を行う決済処理部をさらに備え、
前記予約確定処理部は、前記決済処理部により前記決済処理が行われた場合に前記予約を確定させる、
請求項１に記載の予約管理システム。
【請求項３】
前記判定処理部により前記利用者が前記施設に関連付けられた前記交通機関を利用したと判定された場合に、前記利用者に特典を付与する特典付与処理部をさらに備える、
請求項２に記載の予約管理システム。
【請求項４】
前記特典付与処理部は、前記施設の利用料金を割り引く特典を前記利用者に付与し、
前記決済処理部は、前記施設の利用料金について、前記特典に応じた割り引き後の料金で前記決済処理を行う、
請求項３に記載の予約管理システム。
【請求項５】
前記特典付与処理部は、前記交通機関の利用料金を割り引く特典を前記利用者に付与する、
請求項３に記載の予約管理システム。
【請求項６】
前記判定処理部は、さらに、前記利用者が前記交通機関を利用した利用日を判定し、
前記決済処理部は、前記仮予約処理部により前記仮予約が設定されてから前記施設の利用日までの間に前記利用者が前記交通機関を利用しなかった場合に、前記施設の利用料金の決済処理を行う、
請求項２に記載の予約管理システム。
【請求項７】
前記判定処理部は、さらに、前記利用者が前記交通機関を利用した利用日を判定し、
前記予約確定処理部は、前記判定処理部により前記利用者が前記施設の利用日に前記交通機関を利用したと判定された場合に、前記予約を確定させる、
請求項１〜５のいずれかに記載の予約管理システム。
【請求項８】
前記受付処理部により、前記利用者から第１施設の前記予約要求と第２施設の前記予約要求とが受け付けられた場合において、
前記仮予約処理部は、前記受付処理部により受け付けられる前記各予約要求に基づいて、前記第１施設の第１仮予約と前記第２施設の第２仮予約とを設定し、
前記予約確定処理部は、前記判定処理部により前記利用者が前記第１施設及び前記第２施設に共通して関連付けられた第１交通機関を利用したと判定された場合に、前記第１仮予約及び前記第２仮予約のそれぞれに対応する予約を確定させる、
請求項１〜７のいずれかに記載の予約管理システム。
【請求項９】
前記施設には、当該施設にアクセス可能な鉄道路線又は当該施設の最寄駅が関連付けられており、
前記判定処理部は、前記利用者が前記施設に関連付けられた前記鉄道路線又は前記最寄駅を利用したか否かを判定する、
請求項１〜８のいずれかに記載の予約管理システム。
【請求項１０】
前記予約確定処理部は、前記判定処理部により前記利用者が前記施設に関連付けられた前記交通機関を利用したと判定された場合に、前記施設の利用券を発行する、
請求項１〜９のいずれかに記載の予約管理システム。
【請求項１１】
利用者から施設の予約に関する予約要求を受け付ける受付ステップと、
前記受付ステップにより受け付けられる前記予約要求に基づいて、前記施設の仮予約を設定する仮予約ステップと、
前記利用者が前記施設に関連付けられた交通機関を利用したか否かを判定する判定ステップと、
前記判定ステップにより前記利用者が前記施設に関連付けられた前記交通機関を利用したと判定された場合に、前記仮予約ステップにより設定される前記仮予約に対応する予約を確定させることが可能な予約確定ステップと、
を一又は複数のプロセッサーにより実行する予約管理方法。
【請求項１２】
利用者から施設の予約に関する予約要求を受け付ける受付ステップと、
前記受付ステップにより受け付けられる前記予約要求に基づいて、前記施設の仮予約を設定する仮予約ステップと、
前記利用者が前記施設に関連付けられた交通機関を利用したか否かを判定する判定ステップと、
前記判定ステップにより前記利用者が前記施設に関連付けられた前記交通機関を利用したと判定された場合に、前記仮予約ステップにより設定される前記仮予約に対応する予約を確定させることが可能な予約確定ステップと、
を一又は複数のプロセッサーに実行させるための予約管理プログラム。
【発明の詳細な説明】
【技術分野】
【０００１】
本発明は、予約管理システム、予約管理方法、及び予約管理プログラムに関する。
【背景技術】
【０００２】
利用者がＩＣカードを使って交通機関を利用してイベント会場に来場した場合に、ＩＣカードから交通機関の利用状況を取得し、利用者がイベント会場に来場するために交通機関を利用したと判断された場合に、交通機関の利用料金を割り引くシステムが知られている（例えば特許文献１参照）。
【先行技術文献】
【特許文献】
【０００３】
【特許文献１】特開２００２−２８８２８８号公報
【発明の概要】
【発明が解決しようとする課題】
【０００４】
ところで、イベント会場などの施設を利用する利用者は、事前に施設の予約を申し込んで施設の利用料金に関する決済処理を行う。決済処理が完了すると前記施設の予約が確定し、利用者はイベント当日に施設を利用することが可能となる。そして、利用者が所定の交通機関を利用して施設に来訪した場合には、交通機関の利用料金を割り引く特典が付与される。このように、利用者が施設を利用するためには、利用者自身が決済処理に伴う所定の操作を行うなど、予約を確定させるための操作を行わなければならず手間がかかる。
【０００５】
本発明の目的は、利用者が施設を利用するための予約操作の手間を簡略化することが可能な予約管理システム、予約管理方法、及び予約管理プログラムを提供することにある。
【課題を解決するための手段】
【０００６】
本発明に係る予約管理システムは、利用者から施設の予約に関する予約要求を受け付ける受付処理部と、前記受付処理部により受け付けられる前記予約要求に基づいて、前記施設の仮予約を設定する仮予約処理部と、前記利用者が前記施設に関連付けられた交通機関を利用したか否かを判定する判定処理部と、前記判定処理部により前記利用者が前記施設に関連付けられた前記交通機関を利用したと判定された場合に、前記仮予約処理部により設定される前記仮予約に対応する予約を確定させることが可能な予約確定処理部と、を備える。
【０００７】
本発明に係る予約管理方法は、利用者から施設の予約に関する予約要求を受け付ける受付ステップと、前記受付ステップにより受け付けられる前記予約要求に基づいて、前記施設の仮予約を設定する仮予約ステップと、前記利用者が前記施設に関連付けられた交通機関を利用したか否かを判定する判定ステップと、前記判定ステップにより前記利用者が前記施設に関連付けられた前記交通機関を利用したと判定された場合に、前記仮予約ステップにより設定される前記仮予約に対応する予約を確定させることが可能な予約確定ステップと、を一又は複数のプロセッサーにより実行する予約管理方法である。
【０００８】
本発明に係る予約管理プログラムは、利用者から施設の予約に関する予約要求を受け付ける受付ステップと、前記受付ステップにより受け付けられる前記予約要求に基づいて、前記施設の仮予約を設定する仮予約ステップと、前記利用者が前記施設に関連付けられた交通機関を利用したか否かを判定する判定ステップと、前記判定ステップにより前記利用者が前記施設に関連付けられた前記交通機関を利用したと判定された場合に、前記仮予約ステップにより設定される前記仮予約に対応する予約を確定させることが可能な予約確定ステップと、を一又は複数のプロセッサーに実行させるための予約管理プログラムである。
【発明の効果】
【０００９】
本発明によれば、利用者が施設を利用するための予約操作の手間を簡略化することが可能な予約管理システム、予約管理方法、及び予約管理プログラムが提供される。
【図面の簡単な説明】
【００１０】
【図１】図１は、本発明の実施形態に係る予約管理システムの構成を示すブロック図である。
【図２】図２は、本発明の実施形態に係る予約管理システムで使用される施設情報の一例を示す図である。
【図３】図３は、本発明の実施形態に係る予約管理システムで使用される仮予約情報の一例を示す図である。
【図４】図４は、本発明の実施形態に係る予約管理システムで使用される予約確定情報の一例を示す図である。
【図５】図５は、本発明の実施形態に係る予約管理システムで使用される利用履歴情報の一例を示す図である。
【図６】図６は、本発明の実施形態に係る予約管理装置で実行される予約管理処理の手順の一例を示すフローチャートである。
【図７】図７は、本発明の他の実施形態に係る予約管理装置の構成を示すブロック図である。
【図８】図８は、本発明の他の実施形態に係る予約管理システムで使用される特典情報の一例を示す図である。
【図９】図９は、本発明の他の実施形態に係る予約管理装置で実行される予約管理処理の手順の一例を示すフローチャートである。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定するものではない。
【００１２】
［予約管理システム１００］
図１に示すように、本発明の実施形態に係る予約管理システム１００は、予約管理装置１と施設端末２と鉄道業者サーバー３と利用者端末４とを含む。予約管理装置１、施設端末２、鉄道業者サーバー３、及び利用者端末４は、インターネット、ＬＡＮ、ＷＡＮ、又は公衆電話回線などの通信網Ｎ１を介して通信可能である。
【００１３】
［予約管理装置１］
予約管理装置１は、複数の施設に関する情報（施設情報）を提供する施設情報提供サイトとしての機能を備えている。また、予約管理装置１は、前記施設についての予約を受け付ける予約受付サイトとしての機能を備えている。前記施設は、例えば、コンサート会場、遊園地、競技場（野球場、サッカー場など）、祭り会場、劇場（映画館、演劇など）、遊技場（パチンコ、ゲームセンターなど）、ゴルフ場など、様々なイベントを開催する施設である。また前記施設は、飲食店などの店舗であってもよい。前記施設情報は、例えば、施設名、所在地、電話番号、イベント開催日時（イベント開始日時、イベント終了日時）、交通機関（アクセス情報）、業態（ジャンル）、利用料金（イベント参加費用）などである。利用者は、例えば前記予約受付サイトにおいて、事前に、前記施設の予約の申し込みを行う。なお、前記予約は、前記施設に対する予約であってもよいし、前記イベントに対する予約であってもよい。
【００１４】
予約管理装置１は、利用者から予約の申し込みを受け付けると、仮予約を行う。ここで、「仮予約」は、予約が確定していない状態をいう。また「仮予約」は、予約の変更又は取り消しの際に料金の支払いが発生しない状態をいう。仮予約の状態で所定期間が経過した場合には、予約管理装置１は、仮予約を取り消してもよい。
【００１５】
本実施形態では、仮予約の状態において、例えば、利用者が、施設に来訪するために所定の交通機関を利用した場合に、予約が確定される。また仮予約の状態において、例えば、施設の利用料金の決済処理が完了した場合に、予約が確定される。予約が確定した場合は、その後の予約の変更又は取り消しの際に所定の料金の支払いが発生する。また「予約の確定」には、「施設の利用券の発行」が含まれる。すなわち、仮予約の状態において、利用者が前記所定の交通機関を利用した場合に、利用者に前記利用券が発行される。また、仮予約の状態において、例えば、施設の利用料金の決済処理が完了した場合に、前記利用券が発行される。前記利用券は、前記施設に入場するための入場券であってもよいし、前記イベントに参加するための参加券であってもよい。また前記利用券は、電子データであってもよいし、印刷された紙媒体であってもよい。
【００１６】
ところで、イベント会場などの施設を利用する利用者は、事前に施設の予約を申し込み、施設の利用料金に関する決済処理を行う。決済処理が完了すると前記施設の予約が確定し、利用者はイベント当日に施設を利用することが可能となる。そして、利用者が所定の交通機関を利用して施設に来訪した場合には、交通機関の利用料金を割り引く特典が付与される。このように、利用者が施設を利用するためには、利用者自身が決済処理に伴う所定の操作を行うなど、予約を確定させるための操作を行わなければならず手間がかかる。これに対して、本実施形態に係る予約管理システム１００によれば、利用者が施設を利用するための予約操作の手間を簡略化することが可能である。
【００１７】
本実施形態では、一例として、施設（例えばイベント会場）の仮予約を行った利用者が当該施設に関連付けられた交通機関（例えば鉄道）を利用した場合に、仮予約に対応する予約を確定させる場合について説明する。
【００１８】
図１に示されるように、予約管理装置１は、制御部１１、記憶部１２、及び通信Ｉ／Ｆ１３などを備えるサーバーコンピューターである。なお、予約管理装置１は、１台のコンピューターに限らず、複数台のコンピューターが協働して動作するコンピューターシステムであってもよい。また、予約管理装置１で実行される各種の処理は、一又は複数のプロセッサーによって分散して実行されてもよい。予約管理装置１は、本発明の予約管理システムの一例である。
【００１９】
通信Ｉ／Ｆ１３は、予約管理装置１を有線又は無線で通信網Ｎ１に接続し、通信網Ｎ１を介して施設端末２、鉄道業者サーバー３、利用者端末４などの外部機器との間で所定の通信プロトコルに従ったデータ通信を実行するための通信インターフェースである。
【００２０】
記憶部１２は、各種の情報を記憶する半導体メモリー、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などを含む不揮発性の記憶部である。具体的に、記憶部１２には、施設情報Ｄ１、仮予約情報Ｄ２、及び予約確定情報Ｄ３などのデータが記憶される。図２は、施設情報Ｄ１の一例を示す図である。図３は、仮予約情報Ｄ２の一例を示す図である。図４は、予約確定情報Ｄ３の一例を示す図である。
【００２１】
施設情報Ｄ１には、前記施設情報提供サイトに登録されている複数の施設に関する情報が含まれる。図２に示されるように、施設情報Ｄ１には、施設ごとに、対応する「施設ＩＤ」、「施設名」、「所在地」、「交通機関」、「業態」、「利用日」、「利用料金」などの情報が登録される。「施設ＩＤ」は、前記施設を識別するための識別情報である。「施設名」は、前記施設の名称である。「所在地」は、前記施設の所在地を示す。「交通機関」は、前記施設に来訪するために利用される交通機関、すなわち前記施設へのアクセスに適した交通機関を示す。「交通機関」には、鉄道、バス、タクシーなどの公共交通機関が登録される。なお、前記施設へのアクセスに適した鉄道路線が複数存在する場合には、「交通機関」に鉄道路線の種別が登録される。また「交通機関」に、前記施設に最も近い駅（最寄駅）が登録されてもよい。「業態」は、前記施設で開催されるイベントの内容を示すジャンルである。「利用日」は、前記施設が利用される日（又は日時）、すなわち前記イベントの開催日（又は開催日時）を示す。例えば、「利用日」には、イベント開始日時及びイベント終了日時が登録される。「利用料金」は、前記施設を利用するために必要な金額を示し、例えば利用券の購入金額を示す。
【００２２】
仮予約情報Ｄ２には、利用者が前記予約受付サイトにおいて施設の予約の申し込み、仮予約が設定された場合に登録される仮予約の情報が含まれる。図３に示されるように、仮予約情報Ｄ２には、前記予約受付サイトにおいて受け付けられた予約の申し込みごとに、対応する「予約ＩＤ」、「受付日時」、「利用者ＩＤ」、「施設ＩＤ」、「利用日」などの情報が登録される。「予約ＩＤ」は、利用者が申し込んだ予約の識別情報である。「受付日時」は、利用者から予約の申し込みを受け付けた日時である。「利用者ＩＤ」は、予約の申し込みを行った利用者の識別情報である。「施設ＩＤ」は、利用者が予約を申し込んだ施設の識別情報である。「利用日」は、利用者が前記施設を利用する日（又は日時）を示す。
【００２３】
予約確定情報Ｄ３には、仮予約に対応する予約が確定した場合に登録される予約の確定情報が含まれる。図４に示されるように、予約確定情報Ｄ３には、「予約ＩＤ」、「予約確定日時」、「利用者ＩＤ」、「施設ＩＤ」、「利用日」、「決済金額」などの情報が含まれる。「予約ＩＤ」は、前記予約の識別情報であり、仮予約情報Ｄ２の予約ＩＤと一致する。「予約確定日時」は、前記仮予約に対応する予約が確定した日時である。「利用者ＩＤ」は、利用者の識別情報であり、仮予約情報Ｄ２の利用者ＩＤと一致する。「施設ＩＤ」は、施設の識別情報であり、仮予約情報Ｄ２の施設ＩＤと一致する。「利用日」は、利用者が前記施設を利用する日（又は日時）であり、仮予約情報Ｄ２の利用日と一致する。「決済金額」は、前記利用料金に対応する決済処理の金額である。前記決済金額は、前記利用料金と同一であってもよいし、割引などの特典が付与される場合には割引後の料金であってもよい。
【００２４】
なお、他の実施形態として、施設情報Ｄ１、仮予約情報Ｄ２、及び予約確定情報Ｄ３の一部又は全部が、予約管理装置１から通信網Ｎ１を介してアクセス可能な他のサーバーに記憶されてもよい。この場合、予約管理装置１の制御部１１は、必要に応じて前記サーバーから各種の情報を取得して、後述の予約管理処理（図６参照）などの各処理を実行してもよい。また、他の実施形態として、施設情報Ｄ１、仮予約情報Ｄ２、及び予約確定情報Ｄ３の一部又は全部が、施設端末２に記憶されてもよい。この場合、予約管理装置１の制御部１１は、必要に応じて施設端末２から各種の情報を取得して、後述の予約管理処理（図６参照）などの各処理を実行してもよい。また、他の実施形態として、施設情報Ｄ１、仮予約情報Ｄ２、及び予約確定情報Ｄ３の一部又は全部が、予約管理装置１と施設端末２の両方に記憶されてもよい。
【００２５】
さらに、記憶部１２には、制御部１１に後述の予約管理処理（図６参照）を実行させるための予約管理プログラムなどの制御プログラムが記憶されている。例えば、前記予約管理プログラムは、ＣＤ又はＤＶＤなどのコンピューター読取可能な記録媒体に非一時的に記録されており、予約管理装置１が備えるＣＤドライブ又はＤＶＤドライブなどの読取装置（不図示）で読み取られて記憶部１２に記憶される。
【００２６】
制御部１１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部１１は、前記ＲＯＭ又は記憶部１２に予め記憶された各種の制御プログラムを前記ＣＰＵで実行することにより予約管理装置１を制御する。
【００２７】
具体的に、制御部１１は、図１に示されるように、受付処理部１１１、仮予約処理部１１２、判定処理部１１３、決済処理部１１４、予約確定処理部１１５などの各種の処理部を含む。なお、制御部１１は、前記ＣＰＵで前記予約管理プログラムに従った各種の処理を実行することによって前記各種の処理部として機能する。また、制御部１１に含まれる一部又は全部の処理部が電子回路で構成されていてもよい。なお、前記予約管理プログラムは、複数のプロセッサーを前記各種の処理部として機能させるためのプログラムであってもよい。
【００２８】
受付処理部１１１は、利用者から施設の予約に関する予約要求を受け付ける。受付処理部１１１は、本発明の受付処理部の一例である。例えば、受付処理部１１１は、利用者が前記予約受付サイトにおいて所望の前記施設の予約の申し込みを行った場合に、当該予約に関する予約要求を受け付ける。
【００２９】
仮予約処理部１１２は、受付処理部１１１により受け付けられた前記予約要求に基づいて、前記施設の仮予約を設定する。仮予約処理部１１２は、本発明の仮予約処理部の一例である。例えば、仮予約処理部１１２は、施設情報Ｄ１（図２参照）を参照して、前記予約要求に対応する前記施設の前記施設情報を取得する。そして、仮予約処理部１１２は、取得した前記施設情報に関連付けて、仮予約に関する情報を仮予約情報Ｄ２（図３参照）に登録する。仮予約処理部１１２は、受付処理部１１１により前記予約要求が受け付けられた日時を仮予約情報Ｄ２の「受付日時」に登録する。
【００３０】
判定処理部１１３は、利用者が前記施設に関連付けられた交通機関を利用したか否かを判定する。判定処理部１１３は、本発明の判定処理部の一例である。例えば図２に示す施設情報Ｄ１において、仮予約が設定された施設に、当該施設へのアクセスに適した鉄道路線又は最寄駅が関連付けられている場合には、判定処理部１１３は、利用者が前記施設に関連付けられた前記鉄道路線又は前記最寄駅を利用したか否かを判定する。判定処理部１１３の具体的な構成について以下に説明する。
【００３１】
先ず、判定処理部１１３は、利用者が利用した交通機関の利用履歴情報を取得する。判定処理部１１３は、例えば、鉄道業者サーバー３から前記利用者の鉄道の利用履歴情報を通信網Ｎ１を通じて受信する。図５は、鉄道業者サーバー３の記憶部３２に記憶される利用履歴情報Ｄ４の一例を示す図である。
【００３２】
利用履歴情報Ｄ４には、過去に鉄道を利用した利用者及びその乗車区間に関する情報が登録される。利用履歴情報Ｄ４には、利用者が鉄道を利用するごとに、「利用者ＩＤ」、「乗車駅」、「乗車日時」、「降車駅」、「降車日時」などの情報が記録される。これらの情報は、鉄道の各駅に設置された自動改札機で読み取られたＩＣカード（運賃の支払い機能を有するＩＣカード）の情報に基づいて、利用履歴情報Ｄ４として記録される。「利用者ＩＤ」は、鉄道の利用者（すなわち、前記ＩＣカードの所有者）を識別するための識別情報である。「乗車駅」は、前記利用者が列車に乗車した駅である。「乗車日時」は、前記利用者が列車に乗車した日時（より正確には、乗車駅に設置された自動改札機で前記ＩＣカードが読み取られた日時）である。「降車駅」は、前記利用者が列車から降車した駅である。「降車日時」は、前記利用者が列車から降車した日時（より正確には、降車駅に設置された自動改札機で前記ＩＣカードが読み取られた日時）である。
【００３３】
判定処理部１１３は、前記施設の利用者を識別するための識別情報（例えば、利用者ＩＤなど）を鉄道業者サーバー３に送信する。鉄道業者サーバー３は、利用履歴情報Ｄ４の中から前記識別情報に対応する利用者の利用履歴情報を抽出して、予約管理装置１に送信する。例えば、判定処理部１１３は、仮予約情報Ｄ２（図３参照）の利用者ＩＤを取得し、当該利用者ＩＤを鉄道業者サーバー３に送信する。鉄道業者サーバー３は、前記利用者ＩＤを受信すると、利用履歴情報Ｄ４の中から前記利用者ＩＤに対応する前記利用履歴情報を抽出して、予約管理装置１に送信する。なお、判定処理部１１３は、仮予約情報Ｄ２の中から現在日時が施設のイベント開始日時より前のレコードの利用者ＩＤを抽出して鉄道業者サーバー３に送信し、前記利用者ＩＤに対応する前記利用履歴情報を取得する。
【００３４】
なお、他の実施形態では、判定処理部１１３は、利用者端末４において周期的に記録されるＧＰＳ（Ｇｌｏｂａｌ  Ｐｏｓｉｔｉｏｎｉｎｇ  Ｓｙｓｔｅｍ）などの位置情報（すなわち、利用者端末４の移動経路を示す情報）を、鉄道の利用履歴情報として利用者端末４から受信してもよい。そして、判定処理部１１３は、前記位置情報に基づいて、乗車駅、乗車日時、降車駅、降車日時などを判定してもよい。この場合、判定処理部１１３は、前記位置情報に基づいて利用者端末４の移動速度を算出し、利用者端末４の移動経路と移動速度とに基づいて、前記利用者が鉄道を利用したか否かを判定してもよい。
【００３５】
また、他の実施形態では、駅の構内に掲示された二次元コード（例えば、駅の識別情報を含む二次元コード）が利用者端末４のカメラ（不図示）で撮影されてもよい。そして、判定処理部１１３は、前記二次元コードに含まれる情報を、鉄道の利用履歴情報として利用者端末４から受信してもよい。
【００３６】
判定処理部１１３は、鉄道業者サーバー３から取得した前記利用履歴情報に基づいて、前記利用者が前記施設に関連付けられた交通機関を利用したか否かを判定する。例えば、前記施設に所定の鉄道業者の路線Ａが関連付けられている場合において、前記利用履歴情報に含まれる前記乗車駅及び前記降車駅の少なくともいずれかが前記路線Ａの停車駅に含まれる場合に、判定処理部１１３は、前記利用者が前記路線Ａを利用したと判定する。
【００３７】
決済処理部１１４は、判定処理部１１３により前記利用者が前記施設に関連付けられた前記交通機関を利用したと判定された場合に、前記施設の利用料金の決済処理を行う。決済処理部１１４は、本発明の決済処理部の一例である。決済処理部１１４は、前記利用料金に対応する請求金額と前記利用者の情報とを含む決済要求を前記利用者が利用する決済事業者（例えば、クレジットカード会社）に送信する。決済事業者は、決済要求に基づいて決済処理を実行し、決済処理が完了すると決済完了通知を予約管理装置１に送信する。決済処理部１１４は、前記決済完了通知を取得した場合に決済処理を完了させる。
【００３８】
他の実施形態として、決済処理部１１４は、前記決済要求を鉄道業者サーバー３に送信してもよい。鉄道業者サーバー３は、例えば前記決済要求に基づいて前記利用者のＩＣカードによる決済処理を実行する。例えば鉄道業者サーバー３は、利用者が前記施設に関連付けられた所定の鉄道をＩＣカードを使用して乗車又は降車した際に前記決済処理を実行する。鉄道業者サーバー３は、決済処理が完了すると決済完了通知を予約管理装置１に送信する。
【００３９】
ここで、仮予約処理部１１２により前記仮予約が設定されてから前記施設の利用日までの間に前記利用者が前記交通機関を利用した場合には、上述のように、決済処理部１１４は、前記施設の利用料金の決済処理を行う。しかし、仮予約処理部１１２により前記仮予約が設定されてから前記施設の利用日までの間に前記利用者が前記交通機関を利用しない場合も考えられる。この場合に、前記利用料金の決済処理が行われないと、前記施設に損失が発生してしまう可能性がある。そこで、決済処理部１１４は、仮予約処理部１１２により前記仮予約が設定されてから前記施設の利用日までの間に前記利用者が前記交通機関を利用しなかった場合には、前記施設の利用料金の決済処理を行ってもよい。例えば、決済処理部１１４は、利用日（例えばイベント開催日）までに所定の交通機関が利用されなかった場合に、当該利用日の翌日に前記利用料金の決済処理を実行する。これにより、前記施設の損失の発生を防ぐことができる。
【００４０】
予約確定処理部１１５は、判定処理部１１３により前記利用者が前記施設に関連付けられた前記交通機関を利用したと判定された場合に、仮予約処理部１１２により設定される前記仮予約に対応する予約を確定させることが可能である。例えば、予約確定処理部１１５は、判定処理部１１３により前記利用者が前記施設に関連付けられた前記交通機関を利用したと判定された場合に、前記施設を利用する利用券を前記利用者に発行する。予約確定処理部１１５は、本発明の予約確定処理部の一例である。前記「利用券を発行する」処理は、本発明の「予約を確定させる」処理の一例である。
【００４１】
他の実施形態として、予約確定処理部１１５は、判定処理部１１３により前記利用者が前記施設に関連付けられた前記交通機関を利用したと判定され、かつ決済処理部１１４により前記利用料金の決済処理が行われた場合に、前記予約を確定させる。例えば、予約確定処理部１１５は、判定処理部１１３により前記交通機関を利用したと判定され、かつ決済処理部１１４により前記利用料金の決済処理が行われた場合に、前記施設を利用する利用券を前記利用者に発行する。なお、予約確定処理部１１５は、前記予約を確定させる条件に、前記利用料金の決済処理が完了したことを含んでもよいし、含まなくてもよい。
【００４２】
予約確定処理部１１５は、仮予約に対応する予約を確定させた場合に、予約に関する情報（予約情報）を予約確定情報Ｄ３（図４参照）を登録する。予約確定処理部１１５は、予約確定情報Ｄ３に、前記利用券の発行状況と前記利用料金の決済状況とを登録してもよい。また、予約確定処理部１１５は、前記利用券に対応する情報（電子利用券情報）を利用者端末４に送信する。また、予約確定処理部１１５は、前記予約情報を予約確定情報Ｄ３に登録した場合、対応する仮予約の情報を仮予約情報Ｄ２（図３参照）から削除してもよい。
【００４３】
なお、判定処理部１１３により前記利用者が前記施設に関連付けられた前記交通機関を利用していないと判定された場合には、予約確定処理部１１５は、仮予約処理部１１２により設定された前記仮予約を取り消してもよい。この場合、予約確定処理部１１５は、前記施設の仮予約を取り消したことを示す情報（メッセージ）を利用者端末４に通知してもよい。
【００４４】
ここで、同一の利用者から複数の施設の予約の申し込みが行われた場合において、当該複数の施設に共通の交通機関が関連付けられている場合には、予約確定処理部１１５は、判定処理部１１３により前記利用者が前記交通機関を利用したと判定された場合に、前記複数の施設のそれぞれの仮予約に対応する予約を一括して確定させる。この構成を実現するために、例えば、受付処理部１１１は、利用者から第１施設の予約要求と第２施設の予約要求とを個別に受け付ける。仮予約処理部１１２は、受付処理部１１１により受け付けられた各予約要求に基づいて、前記第１施設の第１仮予約と前記第２施設の第２仮予約とを個別に設定する。予約確定処理部１１５は、判定処理部１１３により前記利用者が前記第１施設及び前記第２施設に共通して関連付けられた第１交通機関を利用したと判定された場合に、前記第１仮予約及び前記第２仮予約のそれぞれの予約を一括して確定させる。例えば、予約確定処理部１１５は、前記第１施設を利用する第１利用券と、前記第２施設を利用する第２利用券とを利用者に一括して発行する。この構成によれば、利用者の複数の予約要求に対して効率よく予約を確定させることができる。
【００４５】
なお、受付処理部１１１、仮予約処理部１１２、判定処理部１１３、決済処理部１１４、予約確定処理部１１５の一部又は全部の処理部が、施設端末２に設けられてもよい。受付処理部１１１、仮予約処理部１１２、判定処理部１１３、決済処理部１１４、予約確定処理部１１５が設けられた施設端末２は、本発明の予約管理システムの一例である。
【００４６】
［施設端末２］
図１に示されるように、施設端末２は、制御部２１、記憶部２２、操作表示部２３、及び通信Ｉ／Ｆ２４などを備える。施設端末２は、施設に配置され、施設のスタッフによって操作される。施設端末２は、例えば携帯電話、スマートフォン、タブレット端末、又はパーソナルコンピューターのような情報処理装置である。なお、施設端末２は、スタッフごとに設けられていてもよい。例えば、１台の据置端末とスタッフが携帯する複数の携帯端末とが施設端末２として施設に配置されてもよい。
【００４７】
通信Ｉ／Ｆ２４は、施設端末２を有線又は無線で通信網Ｎ１に接続し、通信網Ｎ１を介して予約管理装置１などの外部機器との間で所定の通信プロトコルに従ったデータ通信を実行するための通信インターフェースである。
【００４８】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。
【００４９】
記憶部２２は、各種の情報を記憶するフラッシュメモリーなどの不揮発性の記憶部である。例えば、記憶部２２には、予約管理装置１との間で各種の情報を送受信するための施設端末プログラムなどの制御プログラムが記憶されている。例えば、前記施設端末プログラムは、ＣＤ又はＤＶＤなどのコンピューター読取可能な記録媒体に非一時的に記録されており、施設端末２に電気的に接続されるＣＤドライブ又はＤＶＤドライブなどの読取装置（不図示）で読み取られて記憶部２２に記憶される。
【００５０】
制御部２１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより施設端末２を制御する。
【００５１】
制御部２１は、例えば、前記利用者が施設に来訪した際に、前記利用者が所持する前記施設の利用券（紙媒体）又は前記利用券（電子データ）が表示された利用者端末４から前記利用券の情報及び前記利用者の情報を取得して、予約管理装置１に送信する。また、制御部２１は、例えば、前記利用者が前記施設から退場する際に、前記利用者が所持する前記施設の利用券又は前記利用券が表示された利用者端末４から前記利用券の情報及び前記利用者の情報を取得して、予約管理装置１に送信する。すなわち、施設端末２は、利用者の施設への入退場を管理する管理サーバーとして機能することが可能である。なお、本発明において、施設端末２は省略されてもよい。
【００５２】
［鉄道業者サーバー３］
図１に示されるように、鉄道業者サーバー３は、制御部３１、記憶部３２、及び通信Ｉ／Ｆ３３などを備える。鉄道業者サーバー３は、鉄道業者により管理されるサーバーである。鉄道業者サーバー３には、例えば、鉄道の各駅に設置されたクライアント端末から、自動改札機で読み取られたＩＣカードの情報がアップロードされる。なお、本実施形態では、交通機関の一例として「鉄道」を挙げているため、「鉄道業者サーバー」としているが、本発明の交通機関は鉄道に限定されないため、「交通業者サーバー」としてもよい。
【００５３】
通信Ｉ／Ｆ３３は、鉄道業者サーバー３を有線又は無線で通信網Ｎ１に接続し、通信網Ｎ１を介して予約管理装置１などの外部機器との間で所定の通信プロトコルに従ったデータ通信を実行するための通信インターフェースである。
【００５４】
記憶部３２は、各種の情報を記憶するフラッシュメモリーなどの不揮発性の記憶部である。例えば、記憶部３２には、図５に示される利用履歴情報Ｄ４が記憶される。また、記憶部３２には、鉄道の各駅に設置された前記クライアント端末から各種情報を収集して利用履歴情報Ｄ４として記録するための制御プログラムなどが記憶されている。
【００５５】
制御部３１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することにより鉄道業者サーバー３を制御する。
【００５６】
制御部３１は、予約管理装置１からの要求に応じて、記憶部３２に記憶されている利用履歴情報Ｄ４から任意の利用者の利用履歴情報を抽出して、予約管理装置１に送信することが可能である。
【００５７】
［利用者端末４］
図１に示されるように、利用者端末４は、制御部４１、記憶部４２、操作表示部４３、及び通信Ｉ／Ｆ４４などを備える。利用者端末４は、施設を利用する利用者が所有する携帯端末であり、例えばスマートフォン、携帯電話、又はタブレット端末のような情報処理装置である。
【００５８】
通信Ｉ／Ｆ４４は、利用者端末４を有線又は無線で通信網Ｎ１に接続し、通信網Ｎ１を介して予約管理装置１などの外部機器との間で所定の通信プロトコルに従ったデータ通信を実行するための通信インターフェースである。
【００５９】
操作表示部４３は、各種の情報を表示する液晶ディスプレイ又は有機ＥＬディスプレイのような表示部と、操作を受け付けるタッチパネル、ボタンなどの操作部とを備えるユーザーインターフェースである。例えば、利用者は、操作表示部４３に表示される前記予約受付サイトにおいて、所望の施設の予約の申し込みを行う。また利用者端末４は、予約管理装置１から前記利用券に対応する電子データを取得した場合に、操作表示部４３に前記利用券の画面を表示させる。
【００６０】
記憶部４２は、各種の情報を記憶するフラッシュメモリーなどの不揮発性の記憶部である。記憶部４２には、制御部４１に各種の処理を実行させるための各種の制御プログラムが記憶されている。
【００６１】
制御部４１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部４１は、前記ＲＯＭ又は記憶部４２に予め記憶された各種の制御プログラムを前記ＣＰＵで実行することにより利用者端末４を制御する。
【００６２】
［予約管理処理］
以下、図６を参照しつつ、予約管理装置１の制御部１１によって実行される予約管理処理について説明する。例えば、予約管理装置１の制御部１１は、利用者が施設の予約の申し込みを行うことにより前記予約管理プログラムの実行を開始することによって、前記予約管理処理の実行を開始する。なお、制御部１１は、複数の利用者のそれぞれが予約の申し込みを行った場合に、利用者ごとに前記予約管理処理を個別に並行して実行してもよい。
【００６３】
なお、本発明は、前記予約管理処理に含まれる一又は複数のステップを実行する予約管理方法の発明として捉えることができる。
【００６４】
なお、ここで説明する前記予約管理処理に含まれる一又は複数のステップが適宜省略されてもよい。また、前記予約管理処理における各ステップは、同様の作用効果を生じる範囲で実行順序が異なってもよい。さらに、ここでは制御部１１によって前記予約管理処理における各ステップが実行される場合を例に挙げて説明するが、他の実施形態では、複数のプロセッサーによって前記予約管理処理における各ステップが分散して実行されてもよい。
【００６５】
ステップＳ１１において、制御部１１は、利用者が前記予約受付サイトにおいて所望の施設の予約の申し込みを行った場合に、当該予約に関する予約要求を受け付ける。前記ステップＳ１１は、本発明の受付ステップの一例である。
【００６６】
次にステップＳ１２において、制御部１１は、施設情報Ｄ１（図２参照）を参照して、前記予約要求に対応する施設の施設情報を取得する。
【００６７】
次にステップＳ１３において、制御部１１は、前記施設の仮予約を設定する。具体的には、制御部１１は、前記施設情報に関連付けて、仮予約に関する情報を仮予約情報Ｄ２（図３参照）に登録する。前記ステップＳ１３は、本発明の仮予約ステップの一例である。
【００６８】
次にステップＳ１４において、制御部１１は、鉄道業者サーバー３に前記利用者の利用履歴情報を要求する。例えば、制御部１１は、仮予約情報Ｄ２（図３参照）から所定の利用者ＩＤを取得し、当該利用者ＩＤを鉄道業者サーバー３に送信する。鉄道業者サーバー３は、前記利用者ＩＤを受信すると、利用履歴情報Ｄ４の中から前記利用者ＩＤに対応する前記利用履歴情報を抽出して、予約管理装置１に送信する。
【００６９】
次にステップＳ１５において、制御部１１は、鉄道業者サーバー３から取得した前記利用履歴情報に基づいて、前記利用者が前記施設に関連付けられた交通機関を利用したか否かを判定する。前記利用者が前記施設に関連付けられた交通機関を利用したと判定された場合（Ｓ１５：ＹＥＳ）、処理はステップＳ１６に移行する。一方、前記利用者が前記施設に関連付けられた交通機関を利用していないと判定された場合（Ｓ１５：ＮＯ）、処理はステップＳ１８に移行する。前記ステップＳ１５は、本発明の判定ステップの一例である。
【００７０】
ステップＳ１６において、制御部１１は、前記施設の利用料金の決済処理を行う。
【００７１】
次にステップＳ１７において、制御部１１は、前記仮予約に対応する予約を確定させる。例えば、制御部１１は、前記予約に関する情報を予約確定情報Ｄ３（図４参照）に登録し、前記施設の利用券を発行する。また例えば、制御部１１は、前記利用券に対応する電子データ（電子利用券情報）を利用者端末４に送信する。前記ステップＳ１７は、本発明の予約確定ステップの一例である。
【００７２】
ステップＳ１８において、制御部１１は、前記仮予約を取り消す。制御部１１は、前記施設の予約を取り消したことを示す情報（メッセージ）を利用者端末４に通知してもよい。以上のようにして、前記予約管理処理が実行される。
【００７３】
以上説明したように、本実施形態に係る予約管理システム１００では、施設の予約を申し込んだ利用者が当該施設に関連付けられた交通機関を利用した場合に、仮予約に対応する予約を確定させる。また前記利用者が前記交通機関を利用した場合に前記施設の利用料金に関する決済処理が行われて予約が確定される。また予約が確定されると、前記施設の利用券が発行される。このように、利用者が前記交通機関を利用することにより予約が確定されるため、利用者が施設を利用するための予約操作の手間を簡略化することが可能となる。また、利用者が施設を利用するために利用者自身が決済操作を行う必要がないため、利用者の決済処理に関する操作負担を軽減させることが可能となる。
【００７４】
また、施設に関連付けられる前記交通機関は、前記施設へのアクセスに適した交通機関であるため、利用者が前記施設に来訪する場合には当該交通機関を利用する可能性が高くなる。前記交通機関が利用されると、決済処理が行われて予約が確定し利用券が発行される。このため、利用者は予約の申し込みの操作のみ行えばよく、決済処理に関する操作、利用券を取得するための操作などを行う必要がない。よって、利用者が施設を利用する際の予約操作の利便性を向上させることができる。
【００７５】
本発明の予約管理システム１００は、上述の実施形態に限定されない。
【００７６】
他の実施形態では、図７に示すように、予約管理装置１は、判定処理部１１３により利用者が施設に関連付けられた交通機関を利用したと判定された場合に、前記利用者に特典を付与する特典付与処理部１１６をさらに備える。特典付与処理部１１６は、本発明の特典付与処理部の一例である。
【００７７】
例えば、特典付与処理部１１６は、前記施設の利用料金を割り引く特典を利用者に付与する。この場合、決済処理部１１４は、前記施設の利用料金について、割り引き後の料金で決済処理を行う。また、特典付与処理部１１６は、前記交通機関の利用料金（乗車料金）を割り引く特典を前記利用者に付与してもよい。この場合、特典付与処理部１１６は、割引情報を鉄道業者サーバー３に送信してもよい。鉄道業者サーバー３は、前記割引情報を取得すると、前記乗車料金について、割り引き後の料金で清算を行う。前記構成によれば、利用者は所定の交通機関を利用することにより特典を得ることができるため、交通機関の利用を促進することができ、交通機関の利用者数を増加させることができる。
【００７８】
前記構成を実現するための特典付与処理部１１６の具体的な構成例について以下に説明する。
【００７９】
特典付与処理部１１６は、判定処理部１１３により取得される交通機関の前記利用履歴情報に基づいて、前記施設に関連付けられた交通機関を利用した利用者に特典を付与する。例えば、特典付与処理部１１６は、図８に示される特典情報Ｄ５に基づいて、前記利用者に特典を付与する。例えば、特典付与処理部１１６により前記利用者に付与される特典が、施設の利用料金が割引になる特典である場合、特典付与処理部１１６は、当該利用料金の一部（例えば１割）に相当する金額を前記利用料金から割り引く。また、特典付与処理部１１６により前記利用者に付与される特典が、鉄道の利用料金（乗車料金）が割引になる特典である場合、特典付与処理部１１６は、当該乗車料金の一部（例えば１割）に相当する金額を乗車料金から割り引く。例えば、特典付与処理部１１６は、割引額を示す情報を鉄道業者サーバー３に送信する。これにより、鉄道業者サーバー３は、例えば前記利用者が所定の交通機関の駅で降車した際に割引後の料金で乗車料金を精算する。なお、鉄道業者サーバー３は、前記割引額を前記利用者のＩＣカードに返金してもよい。
【００８０】
特典付与処理部１１６は、特典情報Ｄ５の特典付与条件を満たす場合に、前記利用者に前記特典を付与する。前記特典付与条件は、例えば、「前記施設の予約の申し込みを行った利用者が、利用日（イベント開催日）に前記施設に関連付けられた交通機関（例えば鉄道）を利用したこと」である。すなわち、特典付与処理部１１６は、施設の予約の申し込みをした利用者が当該施設の利用日（イベント開催日）に利用した交通機関が、当該施設に関連付けられた交通機関（図２参照）である場合に、前記利用者に前記特典を付与する。なお、イベント開催日を前記特典付与条件に加えることにより、通勤、通学などで前記交通機関を日常的に利用している利用者に対して前記特典が無制限に付与されてしまうことを回避することができる。なお、「特定の駅（例えば施設の最寄駅）を利用したこと」を前記特典付与条件に加えてもよい。
【００８１】
また、前記特典付与条件は、例えば、「前記施設の予約の申し込みをした利用者が、利用日（イベント開催日）に鉄道を利用してイベント終了時刻より前に前記施設の最寄駅を降車したこと」であってもよい。すなわち、特典付与処理部１１６は、利用者が前記最寄駅を降車した日時がイベント開催中（イベント開始日時からイベント終了日時の間）である場合に、前記利用者に前記特典を付与する。利用者がイベント終了前に前記最寄駅を降車した場合には、前記利用者が前記施設に来訪する可能性が高いと判断できるため、前記条件を満たす場合には、特典付与処理部１１６は前記利用者に前記特典を付与する。
【００８２】
このように、特典付与処理部１１６は、施設の予約の申し込みをした利用者が当該施設に関連付けられた交通機関を利用したことを条件として、前記利用者に前記特典を付与してもよい。また特典付与処理部１１６は、前記施設の利用日時（例えばイベント開催日時）と前記利用者が前記施設の最寄駅で降車した日時とが予め定められた条件を満たすことを条件として、前記利用者に前記特典を付与してもよい。ところで、通勤、通学などで前記最寄駅を利用している利用者が、休憩時間に前記施設を利用する場合、前記イベント開始日時と前記最寄駅で降車した日時との間に大きな時間差が生じることがある。一方、利用者が、前記施設に来訪するためだけに前記最寄駅を利用した場合、前記イベント開始日時と前記最寄駅で降車した日時との間に大きな時間差は生じない。そこで、特典付与処理部１１６は、例えば、前記イベント開始日時と前記利用者が前記施設の最寄駅で降車した日時との時間差が、予め定められた閾値以下であることを条件として、前記利用者に前記特典を付与してもよい。これにより、通勤、通学などで前記最寄駅を日常的に利用している利用者（すなわち、鉄道の利用者数の増加には貢献しないような利用者）への特典の付与が抑制されるので、鉄道の利用者数を効率良く増加させることが可能である。なお、前記閾値は、前記施設ごとに個別に設定されてもよい。例えば、前記閾値が、前記施設と前記最寄駅との間の距離又は道程に応じて設定又は変更されてもよい。
【００８３】
特典付与処理部１１６は、前記乗車駅から前記降車駅までの利用区間に応じて前記利用者に異なる前記特典を付与してもよい。判定処理部１１３は、利用履歴情報Ｄ４（図５参照）に基づいて、前記利用者が乗車した乗車駅を特定する。例えば、特典付与処理部１１６は、前記利用区間が相対的に長い利用者に対して、前記利用区間が相対的に短い利用者よりも有利な特典（例えば、鉄道の利用料金の割引率を大きくするなど）を付与してもよい。これにより、鉄道の利用区間がより長い利用者の数を効率良く増加させることができる。
【００８４】
特典付与処理部１１６は、前記利用者が前記最寄駅で前記鉄道を降車後に前記施設を利用し、且つ前記利用者が前記施設の利用後に前記最寄駅で前記鉄道に乗車した場合に、前記利用者に前記特典を付与してもよい。前記施設の利用者は、前記施設に来訪する際には鉄道を利用し、前記施設から帰宅する際には他の交通機関（バス、タクシーなど）を利用する場合がある。このような場合には、前記鉄道の利用者数が減少してしまう。これに対して、前記構成によれば、利用者が往復で前記鉄道の最寄駅を利用したことを条件に前記利用者に特典を付与するため、鉄道の利用者数を増加させることができる。この場合、例えば、決済処理部１１４は、施設に来訪するために前記最寄駅で降車した際に当該施設の利用料金を割引後の料金で決済処理を行い、鉄道業者サーバー３は、当該施設を利用した後に前記最寄駅で乗車してその後に降車した駅において乗車料金を割引後の料金で精算する。
【００８５】
なお、特典付与処理部１１６は、前記利用者が前記最寄駅で降車した列車の進行方向と、前記利用者が前記最寄駅で乗車した列車の進行方向とが反対方向であることを条件として、前記利用者に前記特典を付与してもよい。もしくは、特典付与処理部１１６は、前記利用者が前記最寄駅で降車した列車に乗車した乗車駅と、前記利用者が前記最寄駅で乗車した列車から降車した降車駅とが同一であることを条件として、前記利用者に前記特典を付与してもよい。これにより、乗車駅から本来の目的駅へと電車で向かう途中で前記最寄駅で一旦降車して前記施設を利用した利用者（すなわち、鉄道の利用者数の増加には貢献しないような利用者）には特典を付与せず、前記最寄駅で折り返した利用者（すなわち、前記施設を利用するためだけに鉄道を利用した利用者）にのみ特典を付与することができる。よって、鉄道の利用者数を効率良く増加させることが可能である。
【００８６】
特典付与処理部１１６は、前記利用者が予約の申し込みをした施設の利用料金（図２の施設情報Ｄ１参照）に応じて、前記利用者に異なる前記特典を付与してもよい。例えば、特典付与処理部１１６は、前記利用料金が相対的に高い施設の予約の申し込みをした利用者に対して、前記利用料金が相対的に低い施設の予約の申し込みをした利用者よりも有利な特典（例えば、利用料金の割引率を大きくするなど）を付与してもよい。これにより、高額な利用料金の施設を利用する利用者の負担感を軽減することができるため、鉄道及び施設の利用を促進することができる。
【００８７】
特典付与処理部１１６は、前記利用者が前記施設の予約の申し込みを行った日（図３の仮予約情報Ｄ２の「受付日時」）に応じて、前記利用者に異なる前記特典を付与する。例えば、特典付与処理部１１６は、前記受付日時が相対的に早い利用者に対して、前記受付日時が相対的に遅い利用者よりも有利な特典（例えば、利用料金の割引率を大きくするなど）を付与してもよい。これにより、鉄道及び施設の利用者を早期に確保することができる。
【００８８】
特典付与処理部１１６は、前記利用者による前記施設の最寄駅の利用頻度が予め定められた条件を満たすことを条件として、前記利用者に前記特典を付与してもよい。例えば、特典付与処理部１１６は、前記利用者による前記施設の最寄駅の利用頻度（例えば、過去１ヶ月間の利用回数）が予め定められた閾値（例えば、１５日）よりも低いことを条件として、前記利用者に前記特典を付与してもよい。これにより、通勤、通学などで前記最寄駅を日常的に利用している利用者（すなわち、鉄道の利用者数の増加には貢献しないような利用者）への特典の付与が抑制されるので、鉄道の利用者数を効率良く増加させることが可能である。
【００８９】
図９は、特典付与処理部１１６を備える予約管理システム１００の予約管理装置１の制御部１１によって実行される予約管理処理の手順の一例を示すフローチャートである。図６に示す予約管理処理と比較して、ステップＳ１６が異なり、ステップＳ１９，Ｓ２０が新たに追加されている。ここでは、図６に示す予約管理処理と異なる点について説明する。
【００９０】
具体的には、ステップＳ１５において、利用者が、仮予約が設定された施設に関連付けられた交通機関を利用したと判定された場合に（Ｓ１５：ＹＥＳ）、ステップＳ１６において、制御部１１は、前記施設の利用料金を割引後の料金で決済処理を行う。その後、ステップＳ１７において、制御部１１は、前記仮予約に対応する予約を確定させる。
【００９１】
一方、ステップＳ１５において、利用者が、仮予約が設定された施設に関連付けられた交通機関を利用していないと判定された場合に（Ｓ１５：ＮＯ）、ステップＳ１９において、制御部１１は、所定期間が経過したか否かを判定する。前記所定期間は、例えば、前記施設の利用日に基づいて設定される。例えば、前記所定期間は、イベント終了日時に設定される。すなわち、制御部１１は、現在日時がイベント終了日時を過ぎたか否かを判定する。制御部１１は、現在日時がイベント終了日時を過ぎるまでは（Ｓ１９：ＮＯ）、利用者が前記交通機関を利用したか否かを判定する（Ｓ１５）。
【００９２】
利用者が前記交通機関を利用しないで（Ｓ１５：ＮＯ）、現在日時がイベント終了日時を過ぎた場合（Ｓ１９：ＹＥＳ）、ステップＳ２０において、制御部１１は、前記施設の利用料金を割引のない正規料金で決済処理を行う。
【００９３】
以上の特典付与処理部１１６を備える予約管理システム１００では、利用者が所定の交通機関を利用したことを条件として利用者に特典が付与される。また、予約管理システム１００は、利用者が前記施設を利用したことを、前記特典を付与する条件に含まない。すなわち、施設端末２は、利用者が施設に来訪したことを示す情報を取得しなくてもよいし、また当該情報を予約管理装置１に通知しなくてもよい。よって、利用者が施設を利用したか否かに関わらず、利用者が施設に対応する交通機関を利用した場合に特典を付与することが可能となる。また通勤、通学などで鉄道を日常的に利用している利用者に対して特典が無制限に付与されてしまうことを回避することができる。これにより、鉄道の利用者数の増加には貢献しないような利用者への特典の付与が抑制されるので、鉄道の利用者数を効率良く増加させることが可能となる。
【００９４】
また、予約管理システム１００では、特典に基づく割引後の料金で決済処理を行うことができるため、予約時に利用料金の決済処理を行いその後に割引額に相当する金銭を返金する構成と比較して、決済処理を簡略化することができる。よって、予約管理装置１において決済処理に関する情報のやり取りの回数が抑制されるため、通信トラフィックの低減、及びコンピュータリソースの有効利用が可能となる。
【００９５】
特典付与処理部１１６を備える予約管理システム１００は、以下に示す形態であってもよい。
【００９６】
他の実施形態として、予約管理装置１は、前記利用者が前記最寄駅で降車した後、前記最寄駅から所定範囲内に滞在する周辺滞在時間を取得する時間取得処理部をさらに備えてもよい。そして、特典付与処理部１１６は、前記時間取得処理部により取得される前記周辺滞在時間に応じて、前記利用者に異なる前記特典を付与してもよい。前記所定範囲は、例えば前記最寄駅から半径数百メートル又は半径数キロメートルの範囲に設定されてもよいし、前記最寄駅から前記施設までの経路上又は前記経路の周辺に設定されてもよい。例えば、特典付与処理部１１６は、前記周辺滞在時間が相対的に長い利用者に対して、前記周辺滞在時間が相対的に短い利用者よりも有利な特典（例えば、利用料金の割引率を大きくするなど）を付与してもよい。これにより、最寄駅周辺地域の活性化を図ることができるため、鉄道の利用者数の増加に寄与する。
【００９７】
なお前記構成においては、決済処理部１１４は、判定処理部１１３により前記利用者が前記施設に関連付けられた前記交通機関を利用したと判定された場合に、前記施設の利用料金の決済処理を直ちに行わず、前記特典が確定した時点で決済処理を行う。例えば、決済処理部１１４は、前記施設の利用日の翌日に前記特典に基づく割引後の利用料金で決済処理を行う。
【００９８】
また他の実施形態として、予約管理装置１では、特典付与処理部１１６が、前記利用者が予約の申し込みをした前記施設の利用人数が複数人である場合に、前記利用者に一人分又は複数人分の前記特典を付与してもよい。例えば、施設（イベント会場）で開催されれるイベントに複数人（グループ）で参加する場合、グループの代表者一人が全員分の仮予約を行う場合がある。この場合において、利用料金に対する割引率を一律に設定すると、代表者が施設に関連付けられた交通機関を利用して施設に来訪し、代表者以外の利用者が他の交通機関で前記施設に来訪した場合にも、一定の割引が行われてしまう。そこで、代表者が複数人の仮予約を行った場合には、特典付与処理部１１６は、一人分の前記特典を付与する。
【００９９】
なお、代表者以外の利用者の移動手段の情報を取得できる場合には、前記交通機関を利用した利用者の人数に応じて、前記割引額を決定してもよい。前記構成を採用する場合、仮予約情報Ｄ２（図３参照）には、利用者が予約の申し込みをした人数の情報が含まれる。また代表者以外の利用者の情報が、仮予約情報Ｄ２に登録されてもよい。例えば、特典付与処理部１１６は、代表者に、前記最寄駅で降車した利用者の人数分の前記特典を付与する。この場合、代表者は、各利用者から割引後の代金を徴収すればよい。
【０１００】
なお、本発明の予約管理システムは、予約管理装置１単体で構成されてもよいし、制御部１１の各処理部を備える施設端末２単体で構成されてもよいし、制御部１１の各処理部を備える鉄道業者サーバー３単体で構成されてもよいし、予約管理装置１、施設端末２及び鉄道業者サーバー３のうち少なくとも２つにより構成されてもよい。
【符号の説明】
【０１０１】
１      ：予約管理装置
２      ：施設端末
３      ：鉄道業者サーバー
４      ：利用者端末
１１    ：制御部
１２    ：記憶部
１３    ：通信Ｉ／Ｆ
１００  ：予約管理システム
１１１  ：受付処理部
１１２  ：仮予約処理部
１１３  ：判定処理部
１１４  ：決済処理部
１１５  ：予約確定処理部
１１６  ：特典付与処理部
【図１】
2020095385.tif 000003
【図２】
2020095385.tif 000004
【図３】
2020095385.tif 000005
【図４】
2020095385.tif 000006
【図５】
2020095385.tif 000007
【図６】
2020095385.tif 000008
【図７】
2020095385.tif 000009
【図８】
2020095385.tif 000010
【図９】
2020095385.tif 000011